(57)【要約】【課題】扉の開閉方向を設置現場にて変更する際の作業性の向上を図ること。【解決手段】衣類を収容するドラム１２と、前面１０１にドラム１２内に繋がる衣類取出口１００を有する本体ケース１０と、衣類取出口１００を被蓋する扉１１とを備え、扉１１が本体ケース１０に対して前方へ略水平に回動可能な状態で軸支された衣類乾燥機であって、扉１１を本体ケース１０に回動可能な状態で支持するヒンジ機構部１７と、扉１１を閉状態で保持可能なラッチ機構部１８とを備え、衣類取出口外周１０３の左右点対称位置のそれぞれに、ヒンジ機構部１７の本体側軸支部４１又はラッチ機構部１８の本体側係合部５１を取り付け可能な共通取付部３１〜３３が設けられ、本体側軸支部４１および本体側係合部５１は、共通取付部３１〜３３に対して本体ケース１０の前面１０１側から取り付け固定するように構成されたこと。【選択図】図２
2018007827.tif 000002
【特許請求の範囲】
【請求項１】
衣類を収容するドラムと、前面にドラム内に繋がる衣類取出口を有する本体ケースと、衣類取出口を被蓋する扉とを備え、扉が本体ケースに対して前方へ略水平に回動可能な状態で軸支された衣類乾燥機であって、
扉を本体ケースに回動可能な状態で支持するヒンジ機構部と、
扉を閉状態で保持可能なラッチ機構部とを備え、
衣類取出口外周の左右点対称位置のそれぞれに、ヒンジ機構部の本体側軸支部又はラッチ機構部の本体側係合部を取り付け可能な共通取付部が設けられ、
本体側軸支部および本体側係合部は、前記共通取付部に対して本体ケースの前面側から取り付け固定するように構成された、衣類乾燥機。
【請求項２】
請求項１に記載の衣類乾燥機において、
扉は、外周が略円形状に形成され、一つのヒンジ機構部によって本体ケースに軸支された、衣類乾燥機。
【請求項３】
請求項１または２に記載の衣類乾燥機において、
本体側軸支部を本体ケースの前面側から覆うヒンジカバーを備えた、衣類乾燥機。
【請求項４】
請求項１〜３の何れか一項に記載の衣類乾燥機において、
本体側係合部は、共通取付部に取り付けられた状態において、共通取付部のヒンジ被固定部を本体ケースの前面側から覆うように構成された、衣類乾燥機。
【発明の詳細な説明】
【技術分野】
【０００１】
本発明は、衣類乾燥機、特に、本体ケースの前面に扉を備えた衣類乾燥機に関する。
【背景技術】
【０００２】
従来、本体ケースの前面に衣類取出口が設けられ、衣類取出口を被蓋する扉が本体ケースの前方へ略水平に回動するように軸支された衣類洗濯乾燥機において、製造時、扉を支持する扉支持枠を上下に反転させて本体ケースに取り付けることで、扉の開閉方向を左開き或いは右開きに変更できるようにしたものが知られている（例えば、特許文献１から３参照）。
【先行技術文献】
【特許文献】
【０００３】
【特許文献１】特開２００９−９５５３０号公報
【特許文献２】特開２００７−１９５８５９号公報
【特許文献３】特開２００４−１０５２６８号公報
【発明の概要】
【発明が解決しようとする課題】
【０００４】
しかしながら、上記従来の衣類洗濯乾燥機では、扉の開閉方向を変更する際、扉と共に扉支持枠全体を本体ケースから取り外す必要があるため、組立設備のない設置現場で作業するのに非常に手間がかかった。特に、扉支持枠に扉の開閉センサや温度センサなどの電装部品が配設されたものでは、扉支持枠を本体ケースから取り外したり本体ケースに取り付けたりする際に、上記電装部品の電気配線が円滑な作業の妨げになる問題もあった。
【０００５】
本発明は、上記課題を鑑みてなされたものであり、その目的は、本体ケースの前方へ略水平に回動する扉を備えた衣類乾燥機において、扉の付け替え作業性に優れた衣類乾燥機を提供することにある。
【課題を解決するための手段】
【０００６】
本発明は、衣類を収容するドラムと、前面にドラム内に繋がる衣類取出口を有する本体ケースと、衣類取出口を被蓋する扉とを備え、扉が本体ケースに対して前方へ略水平に回動可能な状態で軸支された衣類乾燥機であって、扉を本体ケースに回動可能な状態で支持するヒンジ機構部と、扉を閉状態で保持可能なラッチ機構部とを備え、衣類取出口外周の左右点対称位置のそれぞれに、ヒンジ機構部の本体側軸支部又はラッチ機構部の本体側係合部を取り付け可能な共通取付部が設けられ、本体側軸支部および本体側係合部は、前記共通取付部に対して本体ケースの前面側から取り付け固定するように構成されたものである。
【０００７】
このものでは、ヒンジ機構部の本体側軸支部を扉と共に本体ケースから取り外し、且つ、ラッチ機構部の本体側係合部を本体ケースから取り外し、互いに他方の共通取付部に付け替えれば、扉が左開きの状態から右開きの状態に、或いは、右開きの状態から左開きの状態に変更されるから、扉の支持枠全体を本体ケースから取り外したり、扉からヒンジ機構部およびラッチ機構部をそれぞれ取り外したりする必要がない。従って、組立設備のない設置現場でも比較的容易に扉の開閉方向を変更することが可能である。また、衣類取出口の外周に扉の開閉センサや温度センサなどの電装部品が配設されたものであっても、電装部品を本体ケースから取り外す必要がないから、扉の開閉方向の変更作業を行う際に、上記電装部品の電気配線が円滑な作業の妨げとなることもない。
【０００８】
しかも、このものでは、ヒンジ機構部の本体側軸支部およびラッチ機構部の本体側係合部を、共通取付部に対して本体ケースの前面側から取り付け固定することができるから、より容易に扉の開閉方向を変更することが可能である。
【０００９】
好ましくは、上記衣類乾燥機において、扉は、外周が略円形状に形成され、一つのヒンジ機構部によって本体ケースに軸支される。
【００１０】
扉の外周が略矩形状に形成された従来の衣類乾燥機では、扉を安定して支持するために、扉の一側縁部に二つのヒンジ機構部が並設され、これら二つのヒンジ機構部によって扉が本体ケースに軸支されている。そのため、扉の支持枠全体が比較的大型になり、扉の開閉方向を変更する際の作業者への負荷が大きかった。これに対して、本発明の衣類乾燥機では、一つのヒンジ機構部のみによって扉が本体ケースに軸支されているから、ヒンジ機構部を含む扉全体を比較的小型にすることができる。よって、その分、扉の開閉方向を変更する際の作業者への負荷も軽減される。
【００１１】
また、扉の外周が略矩形状に形成されたものでは、設置現場にて扉の付け替え作業を行うと、取り付け精度のばらつきによって扉と本体ケースとの間に不要な隙間やがたつきが生じ易く、外観が損なわれる虞もある。これに対して、本発明の衣類乾燥機では、扉の外周が略円形状に形成されているから、ヒンジ機構部の取り付け位置や角度が多少ずれても、扉と本体ケースとの間に外観を著しく損なうような隙間やがたつきが生じ難い。
【００１２】
好ましくは、上記衣類乾燥機において、本体側軸支部を本体ケースの前面側から覆うヒンジカバーを備える。
【００１３】
このものでは、扉を開いたときに、本体側軸支部や本体側軸支部を共通取付部に固定するための固定部材が本体ケースの前面側に露出しないから、衣類乾燥機全体の外観を損なわない。また、衣類取出口から衣類を出し入れする際に、衣類が本体側軸支部や上記固定部材に引掛かるのも防止できる。
【００１４】
好ましくは、上記衣類乾燥機において、本体側係合部は、共通取付部に取り付けられた状態において、共通取付部のヒンジ被固定部を本体ケースの前面側から覆うように構成される。
【００１５】
このものでは、扉を開いたときに、共通取付部のヒンジ被固定部が本体ケースの前面側に露出しないから、衣類乾燥機全体の外観を損なわない。また、衣類取出口から衣類を出し入れする際に、衣類がヒンジ被固定部に引掛かるのも防止できる。
【発明の効果】
【００１６】
以上のように、本発明によれば、設置現場でも容易に扉の開閉方向を変更可能な、扉の付け替え作業性に優れた衣類乾燥機を提供できる。
【図面の簡単な説明】
【００１７】
【図１】図１は、本発明の実施の形態に係る衣類乾燥機の側方視概略縦断面図である。
【図２】図２は、本発明の実施の形態に係る衣類乾燥機の本体ケースの前面側周辺の一部分解斜視図である。
【図３】図３は、本発明の実施の形態に係る衣類乾燥機の扉の後面側を示す一部分解斜視図である。
【図４】図４は、本発明の実施の形態に係る衣類乾燥機のヒンジ機構部周辺の一部分解斜視図である。
【図５】図５は、本発明の実施の形態に係る衣類乾燥機のラッチ機構部周辺の一部分解斜視図である。
【発明を実施するための形態】
【００１８】
次に、本発明を実施するための形態について、添付図面を参照しながら詳述する。
【００１９】
図１に示すように、本発明の実施の形態に係る衣類乾燥機１は、矩形箱状の本体ケース１０と、本体ケース１０の前面（以下、「ケース前面」という）１０１に開設された衣類取出口１００を前方から被蓋する扉１１とでその外郭が構成されている。尚、本明細書では、ケース前面１０１を衣類乾燥機１の正面とし、衣類乾燥機１を正面側から見たときの本体ケース１０の奥行き方向を前後方向、幅方向を左右方向、高さ方向を上下方向という。
【００２０】
本体ケース１０内には、衣類を収容する一端開口円筒状のドラム１２と、本体ケース１０の外部からドラム１２内への給気およびドラム１２内から本体ケース１０外部への排気を行う給排気ファン１３とが組み込まれている。また、図示しないが、本体ケース１０内には、給排気ファン１３によって本体ケース１０内に取り込まれた空気を加熱するバーナが組み込まれている。
【００２１】
ドラム１２は、開口部１２１を衣類取出口１００に対峙させた状態で本体ケース１０内に収容されており、開口部１２１の内周面が、衣類取出口１００の後面側（ドラム１２側）の外周に設けられた円環状のリング板１５の外周に遊接支持され、且つ、後壁１２２の中心部に挿通固定されたドラム軸１６が、本体ケース１０内の後方に設けられた固定壁１０２に回動可能な状態で軸支されている。図示しないが、ドラム１２の胴部外周には、モータの駆動軸に繋がる伝動ベルトが巻装されており、ドラム１２は、上記モータを作動させることで、ドラム軸１６を中心として回転し、内部に収容された衣類を攪拌させる。
【００２２】
給排気ファン１３は、ドラム１２の後壁１２２と固定壁１０２との間に配設され、中心部がドラム軸１６に回動可能な状態で軸支されている。また、給排気ファン１３の後面中央、即ち、ドラム軸１６の挿通部には、円環状のプーリー１３１が連結固定されている。図示しないが、プーリー１３１の外周には、モータの駆動軸に繋がる伝動ベルトが巻装されており、給排気ファン１３は、上記モータを作動させることで、ドラム軸１６を中心として回転し、バーナから放出される熱気や装置外部の冷気をドラム１２内に導入する。尚、本実施の形態では、ドラム１２および給排気ファン１３は、共通の一台のモータによってそれぞれ独立して回転駆動するように構成されているが、それぞれ独立したモータによって回転駆動するように構成されたものとしてもよい。
【００２３】
図１から図３に示すように、扉１１は、円環状の前枠２０と、前枠２０の後面を覆う円弧板状の後枠２１と、前枠２０中央の窓孔２００を後方から覆う二枚の窓板２２，２３とで構成されている。ケース前面１０１における衣類取出口１００の外周縁（以下、「取出口外周縁」という）１０３は、後方へ一段凹没して形成されており、扉１１は、取出口外周縁１０３に一つのヒンジ機構部１７によって連結支持されている。
【００２４】
前枠２０の一方の側端部（扉１１を左開きに設定する場合の左側端部）の後面側で且つ上下方向の略中央位置には、ヒンジ機構部１７を固定するためのネジ孔２０５が設けられており（図３参照）、ネジ孔２０５にヒンジ機構部１７が連結される。
【００２５】
前枠２０の他方の側端部（扉１１を左開きに設定する場合の右側端部）で且つ上下方向の略中央位置には、扉１１を開閉するための把手部２４が設けられている。また、把手部２４と取出口外周縁１０３との対向部には、扉１１を閉状態に保持するためのラッチ機構部１８が設けられている。
【００２６】
窓板２２，２３は、何れもガラスやポリカーボネート系樹脂などの透明性、耐熱性および耐衝撃性の高い素材で形成されており、前後に所定の空間を存して積層されている。また、窓板２２，２３は、窓孔２００の内周より大径で且つ前枠２０の外周より小径に形成されており、窓孔２００の外周に沿って形成された前枠２０の後面の凹部２０１に嵌め込まれた状態で、複数の板状の押さえ金具２５によって後面側から支持固定されている。
【００２７】
押さえ金具２５は、前枠２０の後面に取り付け固定されている。また、押さえ金具２５は、後板２１に着脱自在に取り付けられたカバー板２５０によって前枠２０の後面側から覆われている。
【００２８】
図２、図４および図５に示すように、取出口外周縁１０３の左右位置にはそれぞれ、ヒンジ機構部１７の本体側羽根板（本体側軸支部）４１またはラッチ機構部１８のラッチ受座（本体側係合部）５１を接続可能な共通取付部として、長孔３１および複数（ここでは、三つ）のネジ孔３２，３３が開設されている。
【００２９】
長孔３１およびネジ孔３２，３３は、衣類取出口１００の中心を基点として左右点対称に構成されている。ヒンジ機構部１７を固定するためのヒンジ被固定部としてのヒンジ固定用のネジ孔３２は、長孔３１の上下にそれぞれ一箇所ずつ設けられている。一方、ラッチ機構部１８を固定するためのラッチ固定用のネジ孔３３は、長孔３１の一端側（左側の長孔３１における下端側、右側の長孔３１における上端側）の近傍に一箇所設けられている。尚、ネジ孔３２，３３は、ヒンジ機構部１７およびラッチ機構部１８を適切に固定可能であれば、長孔３１の左右位置に設けられたものとしてもよいし、長孔３１の上端側または下端側にのみ設けられたものとしてもよい。また、ヒンジ固定用のネジ孔３２とラッチ固定用のネジ孔３３とを共通のネジ孔を用いるように構成してもよい。
【００３０】
長孔３１の一方の側縁（左側の長孔３１における左側縁、右側の長孔３１における右側縁）には、後述する本体側羽根板４１の爪片４１１を嵌挿させるための羽根板位置決め用の切欠３１１が形成されている。また、長孔３１の一端縁（左側の長孔３１における上端縁、左側の長孔３１における下端縁）には、後述するラッチ受座５１の突起５１１を嵌挿させるための受座位置決め用の切欠３１２が形成されている。
【００３１】
図２に示すように、取出口外周縁１０３における衣類取出口１００の右上方位置には、扉１１の開閉状態を検出する開閉センサとしてプッシュスイッチ（以下、「ドアスイッチ」という）１９が配設されている。一方、図３に示すように、ドアスイッチ１９の配設部に対向するカバー板２５０の後面には、扉１１が閉じられたときにドアスイッチ１９に押圧当接して閉検出状態（例えば、オン状態）とする押しピン２５１が後方へ向かって突設されている。
【００３２】
カバー板２５０は、前枠２０の中心を基点として点対称位置に設けられている。従って、扉１１を初期の取り付け状態から上下に１８０度反転させて本体ケース１０に取り付ける場合は、押しピン２５１を備えたカバー板２５０も前枠２０の中心を挟んで対向する位置のカバー板２５０と付け替える。
【００３３】
図２から図４に示すように、ヒンジ機構部１７は、本体ケース１０に連結固定される本体側羽根板４１と、扉１１に連結固定される扉側羽根板４２と、本体側羽根板４１および扉側羽根板４２相互を回動可能に連結するヒンジ軸４３と、ヒンジ軸４３に巻装され、扉１１を開方向に押圧付勢するヒンジバネ４４とで構成されている。
【００３４】
本体側羽根板４１は、上下に長い略平板状の板体であり、ヒンジ固定用のネジ孔３２と対向する位置に、ねじ留め用の通孔４１０が開設されている。また、本体側羽根板４１の後面には、側方視略Ｔ字状の爪片４１１が後方へ向かって立設されており、爪片４１１を羽根板位置決め用の切欠３１１に嵌挿させることで、本体側羽根板４１が長孔３１の前側に位置決めされる。そしてこの状態で固定ネジ６をヒンジ固定用のネジ孔３２にケース前面１０１側から通孔４１０を通じて螺合接続することにより、ヒンジ機構部１７が取出口外周縁１０３に固定される。
【００３５】
本体側羽根板４１は、取出口外周縁１０３の所定の取付位置に固定された際に、その取付位置に設けられた長孔３１、ヒンジ固定用のネジ孔３２、ラッチ固定用のネジ孔３３、羽根板位置決め用の切欠３１１、および、受座位置決め用の切欠３１２をケース前面１０１側から覆う大きさに形成されている。
【００３６】
扉側羽根板４２は、上下に長い略平板状の板体であり、上端寄りの位置および下端寄りの位置にそれぞれ、ねじ留め用の通孔４２０が開設されている。そして、前枠２０のネジ孔２０５に対して固定ネジ６を後方から通孔４２０を通じて螺合接続することにより、ヒンジ機構部１７が前枠２０の一方の側端後部（扉１１を左開きに設定する場合の左側端後部）に固定される。
【００３７】
このように、扉側羽根板４２を前枠２０にねじ留め固定し、且つ、本体側羽根板４１を取出口外周縁１０３にねじ留め固定することで、扉１１が本体ケース１０に対して前方へ略水平に所定の範囲で回動可能な状態で連結支持される。
【００３８】
尚、扉１１の開閉方向を左開きに設定する場合は、本体側羽根板４１を取出口外周縁１０３の左側の共通取付部（長孔３１およびヒンジ固定用のネジ孔３２）に取り付け固定させる。また、扉１１の開閉方向を右開きに設定する場合は、扉１１を上下に１８０度反転させ、ヒンジ機構部１７が扉１１の右側端後部に配置された状態で、本体側羽根板４１を取出口外周縁１０３の右側の共通取付部（長孔３１およびヒンジ固定用のネジ孔３２）に取り付け固定させる。
【００３９】
本体側羽根板４１の前面には、上下に対向する一対の軸受片４１２が前方へ向かって立設されている。扉側羽根板４２の前面にも同様、上下に対向する一対の軸受片４２２が前方へ向かって立設されており、これら両軸受片４１２，４２２に、ヒンジ軸４３の上端部および下端部が挿通支持されている。
【００４０】
ヒンジバネ４４は、ヒンジ軸４３における扉側羽根板４２の軸受片４２２相互間の内側に巻装されており、扉側羽根板４２をヒンジ軸４３を中心に閉位置から前方へ回動させる方向（開方向）に押圧付勢している。
【００４１】
本体側羽根板４１の前面には、本体側羽根板４１をケース前面１０１側から覆うヒンジカバー７が装着されている。ヒンジカバー７は、本体側羽根板４１の衣類取出口１００側の側縁部を覆う羽根板カバー部７１と、軸受片４１２を覆う軸受カバー部７２と、通孔４１０に装着される羽根板固定用の固定ネジ６を覆うネジカバー部７３とを備えている。
【００４２】
図２、図３および図５に示すように、ラッチ機構部１８は、本体ケース１０に取り付け固定されるラッチ受座５１と、把手部２４の後部に回動可能に軸支される上方視略Ｌ字状のラッチボルト５２と、ラッチボルト５２を一方の回動方向（閉方向）に押圧付勢する図示しない板バネとで構成されている。また、把手部２４の後面には、ラッチボルト５２を後述する受孔５４の中心に導くためのガイドピン５３が後方へ向かって突設されている。
【００４３】
ラッチ受座５１は、上下に長い略平板状の板体であり、上下間の略中央位置には、扉１１が閉じられたときにラッチボルト５２と嵌合する受孔５４が開設されている。また、取出口外周縁１０３のラッチ固定用のネジ孔３３と対向する位置（右側の共通取付部に取り付けるときの受孔５４の上方位置）には、ねじ留め用の通孔５１０が開設されている。さらに、把手部２４の後面に設けられたガイドピン５３と対向する位置（右側の共通取付部に取り付けるときの受孔５４の下方位置）には、ガイドピン５３を挿通するためのガイド孔５５が開設されている。
【００４４】
ラッチ受座５１の後面には、略直方形状の突起５１１が形成されており、突起５１１を受座位置決め用の切欠３１２に嵌挿させることで、ラッチ受座５１が長孔３１の前側に位置決めされる。そしてこの状態で固定ネジ６をラッチ固定用のネジ孔３３にケース前面１０１側から通孔５１０を通じて螺合接続することにより、ラッチ受座５１が取出口外周縁１０３に固定される。
【００４５】
ラッチ受座５１は、取出口外周縁１０３の所定の取付位置に固定された際に、その取付位置に設けられた長孔３１、ヒンジ固定用のネジ孔３２、ラッチ固定用のネジ孔３３、羽根板位置決め用の切欠３１１、および、受座位置決め用の切欠３１２をケース前面１０１側から覆う大きさに形成されている。
【００４６】
扉１１の開閉方向を左開きに設定する場合は、ラッチ受座５１を取出口外周縁１０３の右側の共通取付部（長孔３１およびラッチ固定用のネジ孔３３）に取り付ける。また、扉１１の開閉方向を右開きに設定する場合は、ラッチ受座５１を上下に１８０度反転させた状態で取出口外周縁１０３の左側の共通取付部（長孔３１およびラッチ固定用のネジ孔３３）に取り付ける。
【００４７】
ラッチ受座５１の前面における通孔５１０の外周には、円環状に隆起部５６が形成されている。また、隆起部５６の内側には、略円板状のネジカバー８が嵌挿され、受座固定用の固定ネジ６をケース前面１０１側から覆っている。
【００４８】
ガイド孔５５のケース前面１０１側の内周縁は、外側から内側後方へ向かって縮径するテーパ面に形成されている。従って、扉１１の取り付け精度に多少のばらつきが生じていても、扉１１を閉じる際、ガイドピン５３は、上記テーパ面に沿ってガイド孔５５の中心へ導かれる。これにより、ラッチボルト５２が受孔５４へ確実に嵌挿される。
【００４９】
ラッチボルト５２は、扉１１が閉じられたときにラッチ受座５１の受孔５４に嵌合し、扉１１を閉状態で保持する一方、把手部２４が本体ケース１０の前方へ引かれた場合には、上記板バネの押圧力に抗して所定の角度回動し、受孔５４との嵌合状態が解除されるように構成されている。
【００５０】
上記の衣類乾燥機１によれば、ヒンジ機構部１７の本体側羽根板４１を扉１１と共に本体ケース１０から取り外し、且つ、ラッチ機構部１８のラッチ受座５１を本体ケース１０から取り外し、互いに上下反転させて他方の共通取付部に付け替えれば、扉１１が左開きの状態から右開きの状態に、或いは、右開きの状態から左開きの状態に変更されるから、扉１１を支持する本体ケース１０の前面支持枠全体を取り外したり、扉１１からヒンジ機構部１７およびラッチ機構部１８をそれぞれ取り外したりする必要がない。従って、組立設備のない設置現場でも比較的容易に扉１１の開閉方向を変更することが可能である。よって、扉１１の付け替え作業性が良好である。
【００５１】
また、このものでは、取出口外周縁１０３に設けられたドアスイッチ（開閉センサ）１９や他の電装部品を本体ケース１０から取り外すことなく扉１１の付け替え作業を行うことができるから、扉１１の開閉方向の変更作業を行う際に、上記電装部品に接続された電気配線が円滑な作業の妨げとなることもない。よって、扉１１の付け替え作業性が一層良好である。
【００５２】
しかも、このものでは、ヒンジ機構部１７の本体側羽根板４１およびラッチ機構部１８のラッチ受座５１を、共通取付部に対してケース前面１０１側から取り付け固定することができるから、より容易に扉１１の開閉方向を変更することが可能である。よって、扉１１の付け替え作業性が一層良好である。また、扉１１の着脱が容易であるから、扉１１やヒンジ機構部１７、ラッチ機構部１８を故障や不良等によって交換する際の手間も軽減できる。
【００５３】
さらに、一つのヒンジ機構部１７のみによって扉１１を本体ケース１０に軸支させる構成としたことで、ヒンジ機構部１７を含む扉１１の全体を比較的小型にすることができるから、その分、扉１１の開閉方向を変更する際の作業者への負荷も軽減される。よって、扉１１の付け替え作業性が一層良好である。
【００５４】
また、このものでは、扉１１の外周が略円形状に形成されているから、ヒンジ機構部１７の取り付け位置や角度が多少ずれても、扉１１と本体ケース１０との間に外観を著しく損なうような隙間やがたつきが生じ難い。よって、扉１１の付け替え作業性が一層良好である。
【００５５】
さらに、このものでは、ヒンジ機構部１７の本体側羽根板４１の前面にヒンジカバー７が装着されており、扉１１を開いたときに、本体側羽根板４１の側縁部や軸受片４１２、羽根板固定用の固定ネジ６がケース前面１０１側に露出しないから、衣類乾燥機１全体の外観も損なわない。また、衣類取出口１００から衣類を出し入れする際に、衣類が本体側羽根板４１や固定ネジ６に引掛かるのも防止できるから、使い勝手も良好である。
【００５６】
また、このものでは、ラッチ受座５１を取出口外周縁１０３の所定の位置に取り付けた際、本体側羽根板４１を位置決めするための切欠３１１や、本体側羽根板４１を固定するためのネジ孔３２がラッチ受座５１によってケース前面１０１側から覆われるように構成されており、扉１１を開いたときに、切欠３１１やネジ孔３２がケース前面１０１側に露出しないから、衣類乾燥機１全体の外観をより損なわない。また、衣類取出口１００から衣類を出し入れする際に、衣類が切欠３１１やネジ孔３２に引掛かるのも防止できるから、使い勝手も一層良好である。
【００５７】
尚、上記実施の形態では、バーナから放出される熱気より衣類を乾燥させる所謂ガス加熱式の衣類乾燥機を説明したが、本発明は、電気ヒータから放出される熱により衣類を乾燥させる所謂電気加熱式の衣類乾燥機にも適用できる。
【００５８】
また、本発明は、扉１１の外周が略矩形状に形成された衣類乾燥機にも適用できるし、扉１１がケース前面１０１の全体を覆うように構成された衣類乾燥機にも適用できる。また、ケース前面１０１が上向きに傾斜して形成され、ドラム１２が開口部１２１を斜め上向きとした姿勢で本体ケース１０内に収容された衣類乾燥機にも適用できる。
【符号の説明】
【００５９】
１      衣類乾燥機
１０    本体ケース
１００  衣類取出口
１０１  本体ケースの前面
１０３  取出口外周縁（取出口外周）
１１    扉
１２    ドラム
１７    ヒンジ機構部
１８    ラッチ機構部
３１    長孔（共通取付部）
３２，３３  ネジ孔（共通取付部）
４１    本体側羽根板（本体側軸支部）
５１    ラッチ受座（本体側係合部）
【図１】
2018007827.tif 000003
【図２】
2018007827.tif 000004
【図３】
2018007827.tif 000005
【図４】
2018007827.tif 000006
【図５】
2018007827.tif 000007